(57)【要約】      （修正有）【課題】気候に合わせて形態を変更可能であり、特に医療従事者の屋外での活動に有利なユニフォームジャケットを提供する。【解決手段】撥水性を有する布地からなる袖無しジャケット本体及びそれとは独立の布地から形成される左右の袖から構成され、袖無しジャケット本体の肩口部分内側には複数個の相互に間隔を置いて面ファスナーの片面及び複数個のスナップ釦の片方が設置され、袖の肩口部分外側には面ファスナー及びスナップ釦と対応する面ファスナーの片面及びスナップ釦の片方が設置される。【選択図】図１
0003167461.tif 000002
【実用新案登録請求の範囲】
【請求項１】
野外活動に適した撥水素材を使用し、ファスナー及びボタン・面ファスナーの２段階で袖を着脱可能とし、さらに防寒ライナーをファスナーで、防水フードをボタン式で着脱式にすることで年間を通じて着用する事ができるユニフォームジャケット。
【請求項２】
ジャケット本体の右袖上部にマジックテープ及びスナップ釦を使用することにより着脱可能となる小物入ポケットを設けると共に、右身頃下部前面にマジックテープ及びスナップ釦を使用することで着脱可能となるファスナー付きポーチポケットを設けたユニホームジャケット。
【考案の詳細な説明】
【技術分野】
【０００１】本考案は、簡単な動作で袖をはずすことが可能なため、緊急の作業の際に有効である。
その施術に必要なアイテムを着脱可能なポケットの中に収納してさらに取り外して作業できる利便性があり、ライナー・フードを着脱する事で年間を通じて着用可能なユニホームジャケットに関するものである。
【背景技術】
【０００２】    たとえば、ドクターカー・ドクターヘリ・ＤＭＡＴなど野外において医療行為を行う場合について特性を発揮するものである。野外においてユニホームジャケットを着用し移動、作業する場合、通常のポケットでは収納力も低く、別途かばんやポーチをつけていると、作業性がおち、作業も煩雑であった。防寒に特化したユニホームジャケットでは年間を通して着用するには暑く春夏用と秋冬用と２着を用意していた。
【考案の概要】
【考案が解決しようとする課題】
【０００３】作業の際、袖が邪魔になり、作業の精度を妨げることもあることから、簡便に着脱可能できる袖を考案する必要があった（ｅｘ．気道確保などの医療行為）。また、着脱可能の小物入れを作ることにより、そのポケットのまま金庫などに保管し、必要な作業時のみ瞬時に装備可能になることが必要であった（ｅｘ．医療現場での麻薬などの保管・持ち出し）。収納力、利便性の低さから別途カバン、ポーチを用意し利用する事は野外活動においては邪魔になり、さらに気候に合わせ２着のユニホームジャケットを用意する事は経済的負担も大きい。従ってユニホームジャケットに収納力のあるポケットをつくり着脱可能にする事で利便性を上げ、さらにライナーと袖を着脱可能にする事で気候に合わせた防寒性を調節可能にし、前述の欠点を解決しようとする為のものである。
【課題を解決するための手段】
【０００４】本考案は、袖を面テープと、ボタンで着脱可能にし、ただ引っ張るだけで袖を瞬時に取り外せるようにした。さらに、ファスナーも付け寒冷地の場合の防寒にも対応している。
また、ジャケット本体に小物を収納するポケット及び収納力があるファスナー付きポーチを設けた。また、瞬時に中のものが見分けられるように、ポケット内に鮮やかな色の裏地をつけ、さらに、ポケット付仕切りを付けた。いずれも本体とポケット、ポーチに面テープとスナップ釦をつけ着脱が自由に行えるようにし、重さで脱落しないように、強力なスナップ釦も追加している。防寒ライナーは、ファスナーとスナップ釦を使用しジャケット本体と一体になるよう固定し、防水フードは釦で着脱可能にした。気候に合わせ、夏はベスト、冬は防寒ライナー付のジャケットとして、自由に形態の変更可能にすることで問題点を解決している。
【考案の効果】
【０００５】上述のように、本考案の野外活動用ユニホームジャケットはジャケット本体に収納力を増すポケットをつけたことは勿論、ポケット・ポーチを着脱可能にする事で利便性を増し、しかもライナー・袖を簡単に着脱可能にした事で気候に合わせ別々のユニホームジャケットを用意することもなくなり、全天候型野外活動用ジャケットとなった。
【考案を実施するための形態】
【０００６】ジャケット本体袖部分のポケット及び右前身ごろ下部のファスナー付きポーチポケットはマジックテープで本体と接合しており、さらに力が加わる事で安易に脱落する事を防ぐ為及びその位置を正確に接合する為にスナップ釦をはめ込む。また、ライナーにおいてはジャケット本体左右前見返し奥のファスナーで固定し、さらに袖口においては着用時のずれを防ぐ為スナップ釦を用いて本体に固定する。両袖ぐりにおいてはジャケット本体にファスナーで固定し、簡単に着脱を可能にする場合の為３箇所のマジックテープとスナップ釦を用いてジャケット本体に固定する事で安易な着脱を可能としている。
【実施例】
【０００７】以下、添付図面に従って一実施例を説明する。［図１］１は撥水性を持つナイロン系素材を使用した野外活動用ユニホームジャケット本体、２は貴重品、無線機、ＰＨＳ等を収納するポケットで、このポケット２は［図２］のように５マジックテープ、６スナップ釦にてジャケット本体と着脱可能となる。３はジャケット本体右前身ごろ下部に着くファスナー付きポーチで、このポーチ３は［図３］のように７マジックテープ、８スナップ釦にてジャケット本体に着脱可能となる。【０００８】［図４］は４袖の着脱図で、ジャケット本体と４袖は９ファスナーで接合されており着脱可能となる、さらに１０スナップ釦と１１マジックテープを用いジャケット本体と接合する事で安易に着脱可能とする。［図５］は袖の、袖山部分の仕様図（ａ）が表（ｂ）が裏面。【０００９】［図６］は中綿を挟み込んだ防寒仕様のライナー本体で１２ファスナーとジャケット本体のファスナーで中表に固定され、さらに袖口の１３スナップ釦を用いジャケット本体袖口部分に固定される。
【図面の簡単な説明】
【００１０】
【図１】本考案の野外活動用ユニホームジャケットの正面図
【図２】着脱式小物入れポケット（右袖）  裏面
【図３】着脱式ポーチポケット（右腰）  裏面
【図４】袖着脱略図
【図５】袖  袖山部分  （ａ）表  （ｂ）裏
【図６】ライナー本体の正面図
【符号の説明】
【００１１】  １    野外活動用ユニホームジャケット本体
２    着脱式小物入れ袖ポケット
３    着脱式ファースナ−開きポーチポケット
４    着脱式袖
５    着脱式小物入れ袖ポケット裏面・マジックテープ配置
６    着脱式小物入れ袖ポケット裏面・スナップ釦配置
７    着脱式ファースナ−開きポーチポケット裏面・マジックテープ配置
８    着脱式ファースナ−開きポーチポケット裏面・スナップ釦配置
９    袖本体着脱用ファスナー
１０    袖簡易着脱用スナップ釦
１１    袖簡易着脱用マジックテープ
１２    ライナー本体装着用ファスナー
１３    ライナー本体装着用スナップ釦
【図１】
0003167461.tif 000003
【図２】
0003167461.tif 000004
【図３】
0003167461.tif 000005
【図４】
0003167461.tif 000006
【図５】
0003167461.tif 000007
【図６】
0003167461.tif 000008
【手続補正書】
【提出日】平成22年12月24日(2010.12.24)
【手続補正１】
【補正対象書類名】実用新案登録請求の範囲
【補正対象項目名】全文
【補正方法】変更
【補正の内容】
【実用新案登録請求の範囲】
【請求項１】
撥水性を有する布地からなる袖無しジャケット本体及びそれとは独立の布地から形成される左右の袖から構成され、前記袖無しジャケット本体の肩口部分内側には複数個の相互に間隔を置いて面ファスナーの片面及び複数個のスナップ釦の片方が設置され、前記袖の肩口部分外側には前記面ファスナー及びスナップ釦と対応する前記面ファスナーと同一個数の面ファスナーの片面及び前記スナップ釦と同一個数のスナップ釦の対応する片方が設置され、対応する前記面ファスナーの各面及びスナップ釦の各部分を順次圧着することによって、容易に前記袖無しジャケット本体と前記袖とを結合することができるとともに、前記袖無しジャケット本体に結合されている前記袖の任意の一箇所に対して袖無しジャケット本体から引き離す方向に力を加えた際、その力が圧着されている前記面ファスナー又は前記スナップ釦の一点に集中することによって、その面ファスナー又はスナップ釦を即時に脱着させ、順次、隣接する前記面ファスナー又はスナップ釦に力の集中する地点が移動することによって、その隣接する面ファスナー又はスナップ釦が脱着し速やかに前記袖無しジャケット本体から前記袖を脱着することを可能にすることを特徴とするユニフォームジャケット
【請求項２】
袖を組成する撥水性を有する布地がナイロン系素材又は伸縮性を有する繊維で編まれた編物地からなることによって、袖無しジャケット本体に結合されている前記袖の任意の一箇所に対して袖無しジャケット本体から引き離す方向に力を加えた際、編物地が変形することにより、その力が圧着されている前記面ファスナー又は前記スナップ釦の１つに集中することをより容易にすることを特徴とする請求項１のユニフォームジャケット
【請求項３】
袖無しジャケット本体及び左右各袖の各肩口部分にファスナーの各片側を設置することによって、ファスナーを接着時には袖無しジャケット本体と袖を密着することによって外気が肩口部分から進入することを防止すると共に、袖が不要となった際にはファスナーを外すことによって容易に袖無しジャケット本体から袖を脱着することによって年間を通じて着用することを可能にした請求項１のユニフォームジャケット
【請求項４】
袖を組成する撥水性を有する布地がナイロン系素材又は伸縮性を有する繊維で編まれた編物地からなることによって、袖無しジャケット本体に結合されている前記袖の任意の一箇所に対して袖無しジャケット本体から引き離す方向に力を加えた際、編物地が変形することにより、その力が圧着されている前記面ファスナー又は前記スナップ釦の１つに集中することをより容易にすることを特徴とする請求項３のユニフォームジャケット
【請求項５】
袖無しジャケット本体並びに左右各袖の各裏側の各周縁部にファスナーの片側を設置すると共に、袖無しジャケット本体並びに左右各袖の布地の形又はそれと相似に数パーセントの範囲で縮小した形に成形された各防寒ライナーを新たな構成要素とし、その各周縁部に前記ファスナーに対応するもう片側のファスナーを設置することによって、防寒ライナーを袖無しジャケット本体並びに袖の裏側に容易に着脱することができる請求項３のユニフォームジャケット
【請求項６】
袖を組成する撥水性を有する布地がナイロン系素材又は伸縮性を有する繊維で編まれた編物地からなることによって、袖無しジャケット本体に結合されている前記袖の任意の一箇所に対して袖無しジャケット本体から引き離す方向に力を加えた際、編物地が変形することにより、その力が圧着されている前記面ファスナー又は前記スナップ釦の１つに集中することをより容易にすることを特徴とする請求項５のユニフォームジャケット
【請求項７】
袖無しジャケット本体とは独立の撥水性を有する布地からなる防水フードを新たな構成要素とし、その一面にスナップ釦の片側を設置し、袖無しジャケット本体の襟元後部にも前記スナップ釦と対応するスナップ釦の片側を設置することによって、前記防水フードを前記袖無しジャケット本体から容易に着脱することができることを特徴とする請求項５のユニフォームジャケット
【請求項８】
袖を組成する撥水性を有する布地がナイロン系素材又は伸縮性を有する繊維で編まれた編物地からなることによって、袖無しジャケット本体に結合されている前記袖の任意の一箇所に対して袖無しジャケット本体から引き離す方向に力を加えた際、編物地が変形することにより、その力が圧着されている前記面ファスナー又は前記スナップ釦の１つに集中することをより容易にすることを特徴とする請求項７のユニフォームジャケット
【請求項９】
袖とは独立の撥水性を有する布地を袋状に形成したものからなる小物入ポケットを新たな構成要素とし、その裏面に相互に間隔を置いて複数個の面ファスナーの片面及びスナップ釦の片方を設置し、右側又は左側の袖に前記面ファスナー及びスナップ釦と対応する面ファスナー及びスナップ釦の各片側を設置し、それぞれ対応する前記面ファスナーの各片面及びスナップ釦の各片方を順次圧着することによって容易に前記袖と前記小物入ポケットとを結合することができるとともに、前記小物入ポケットの一端に対して引き離す方向に力を加えた際、その力が圧着されている前記面ファスナー又は前記スナップ釦の一点に集中することによって、その面ファスナー又はスナップ釦を即時に脱着させ、順次、隣接する前記面ファスナー又はスナップ釦に力の集中する地点が移動することによって、その隣接する面ファスナー又はスナップ釦が脱着し速やかに前記小物入ポケットを袖から脱着することができると共に、スナップ釦の併用により前記小物入ポケットが前記袖から脱落することを防止することができることを特徴とする請求項７のユニフォームジャケット
【請求項１０】
袖無しジャケット本体とは独立の撥水性を有する布地をポーチ型の袋状とし、そのポーチの一端にファスナーを設置することを特徴とするファスナー付ポーチポケットを新たな構成要素とし、その裏面に相互に間隔を置いて複数個の面ファスナーの片面及びスナップ釦の片方を設置し、袖無しジャケット本体に前記面ファスナー及びスナップ釦と対応する面ファスナー及びスナップ釦の各片側を設置することによって、それぞれ対応する前記面ファスナーの各片面及びスナップ釦の各片方を順次圧着することによって容易に前記袖無しジャケット本体と前記ファスナー付きポーチポケットとを結合することができるとともに、前記ファスナー付きポーチポケットの一端に対して引き離す方向に力を加えた際、その力が圧着されている前記面ファスナー又は前記スナップ釦の一点に集中することによって、その面ファスナー又はスナップ釦を即時に脱着させ、順次、隣接する前記面ファスナー又はスナップ釦に力の集中する地点が移動することによって、その隣接する面ファスナー又はスナップ釦が脱着し速やかに前記ファスナー付きポーチポケットを袖無しジャケット本体から脱着することができると共に、スナップ釦の併用により前記ファスナー付きポーチポケットが袖無しジャケット本体から脱落することを防止することができることを特徴とする請求項９のユニフォームジャケット
【請求項１１】
袖を組成する撥水性を有する布地がナイロン系素材又は伸縮性を有する繊維で編まれた編物地からなることによって、袖無しジャケット本体に結合されている前記袖の任意の一箇所に対して袖無しジャケット本体から引き離す方向に力を加えた際、編物地が変形することにより、その力が圧着されている前記面ファスナー又は前記スナップ釦の１つに集中することをより容易にすることを特徴とする請求項１０のユニフォームジャケット
【手続補正２】
【補正対象書類名】明細書
【補正対象項目名】全文
【補正方法】変更
【補正の内容】
【考案の詳細な説明】
【技術分野】
【０００１】本考案は、簡単な動作で袖をはずすことが可能なため、緊急の作業の際に有効である。その施術に必要なアイテムを着脱可能なポケットの中に収納してさらに取り外して作業できる利便性があり、ライナー・フードを着脱する事で年間を通じて着用可能なユニホームジャケットに関するものである。
【背景技術】
【０００２】たとえば、ドクターカー・ドクターヘリ・ＤＭＡＴなど野外において医療行為を行う場合について特性を発揮するものである。野外においてユニホームジャケットを着用し移動、作業する場合、通常のポケットでは収納力も低く、別途かばんやポーチをつけていると、作業性がおち、作業も煩雑であった。防寒に特化したユニホームジャケットでは年間を通して着用するには暑く春夏用と秋冬用と２着を用意していた。
【考案の概要】
【考案が解決しようとする課題】
【０００３】作業の際、袖が邪魔になり、作業の精度を妨げることもあることから、簡便に着脱可能できる袖を考案する必要があった（ｅｘ．気道確保などの医療行為）。また、着脱可能の小物入れを作ることにより、そのポケットのまま金庫などに保管し、必要な作業時のみ瞬時に装備可能になることが必要であった（ｅｘ．医療現場での麻薬などの保管・持ち出し）。収納力、利便性の低さから別途カバン、ポーチを用意し利用する事は野外活動においては邪魔になり、さらに気候に合わせ２着のユニホームジャケットを用意する事は経済的負担も大きい。従ってユニホームジャケットに収納力のあるポケットをつくり着脱可能にする事で利便性を上げ、さらにライナーと袖を着脱可能にする事で気候に合わせた防寒性を調節可能にし、前述の欠点を解決しようとする為のものである。
【課題を解決するための手段】
【０００４】本考案は、袖を面テープ（面ファスナー）と、ボタン（スナップ釦）で着脱可能にし、ただ引っ張るだけで袖を瞬時に取り外せるようにした。さらに、ファスナーも付け寒冷地の場合の防寒にも対応している。  また、ジャケット本体に小物を収納するポケット及び収納力があるファスナー付きポーチを設けた。また、瞬時に中のものが見分けられるように、ポケット内に鮮やかな色の裏地をつけ、さらに、ポケット付仕切りを付けた。いずれも本体とポケット、ポーチに面テープ（面ファスナー）とスナップ釦をつけ着脱が自由に行えるようにし、重さで脱落しないように、強力なスナップ釦も追加している。防寒ライナーは、ファスナーとスナップ釦を使用しジャケット本体と一体になるよう固定し、防水フードは釦で着脱可能にした。気候に合わせ、夏はベスト、冬は防寒ライナー付のジャケットとして、自由に形態の変更可能にすることで問題点を解決している。
【考案の効果】
【０００５】上述のように、本考案の野外活動用ユニホームジャケットはジャケット本体に収納力を増すポケットをつけたことは勿論、ポケット・ポーチを着脱可能にする事で利便性を増し、しかもライナー・袖を簡単に着脱可能にした事で気候に合わせ別々のユニホームジャケットを用意することもなくなり、全天候型野外活動用ジャケットとなった。
【考案を実施する為の形態】
【０００６】ジャケット本体袖部分のポケット及び右前身ごろ下部のファスナー付きポーチポケットは面ファスナーで本体と接合しており、さらに力が加わる事で安易に脱落する事を防ぐ為及びその位置を正確に接合する為にスナップ釦をはめ込む。また、ライナーにおいてはジャケット本体左右前見返し奥のファスナーで固定し、さらに袖口においては着用時のずれを防ぐ為スナップ釦を用いて本体に固定する。両袖ぐりにおいてはジャケット本体にファスナーで固定し、簡単に着脱を可能にする場合の為３箇所の面ファスナーとスナップ釦を用いてジャケット本体に固定する事で安易な着脱を可能としている。
【実施例】
【０００７】以下、添付図面に従って一実施例を説明する。［図１］１は撥水性を持つナイロン系素材を使用した野外活動用ユニホームジャケット本体、２は貴重品、無線機、ＰＨＳ等を収納するポケットで、このポケット２は［図２］のように５面ファスナー、６スナップ釦にてジャケット本体と着脱可能となる。３はジャケット本体右前身ごろ下部に着くファスナー付きポーチで、このポーチ３は［図３］のように７面ファスナー、８スナップ釦にてジャケット本体に着脱可能となる。【０００８】［図４］は４袖の着脱図で、ジャケット本体と４袖は９ファスナーで接合されており着脱可能となる、さらに１０スナップ釦と１１面ファスナーを用いジャケット本体と接合する事で安易に着脱可能とする。［図５］は袖の、袖山部分の仕様図｛ａ｝が表面、｛ｂ｝が裏面である。【０００９】［図６］は中綿を挟み込んだ防寒仕様のライナー本体で１２ファスナーでジャケット本体のファスナーで中表に固定され、さらに袖口の１３スナップ釦を用いジャケット本体袖口部分に固定される。
【図面の簡単な説明】
【００１０】
【図１】本考案の野外活動用ユニホームジャケットの正面図
【図２】着脱式小物入れポケット（右袖ポケット）裏面
【図３】着脱式ポーチポケット裏面
【図４】袖着脱略図
【図５】袖  袖山部分  ｛ａ｝表面  ｛ｂ｝裏面
【図６】ライナー本体の正面図
【符号の説明】
【００１１】１    野外活動用ユニホームジャケット本体
２    着脱式小物入れ袖ポケット
３    着脱式ファースナ−開きポーチポケット
４    着脱式袖
５    着脱式小物入れ袖ポケット裏面・面ファスナー配置
６    着脱式小物入れ袖ポケット裏面・スナップ釦配置
７    着脱式ファースナ−開きポーチポケット裏面・面ファスナー配置
８    着脱式ファースナ−開きポーチポケット裏面・スナップ釦配置
９    袖本体着脱用ファスナー
１０    袖簡易着脱用スナップ釦
１１    袖簡易着脱用面ファスナー
１２    ライナー本体装着用ファスナー
１３    ライナー本体装着用スナップ釦